【手続補正書】
【提出日】平成17年9月16日(2005.9.16)
【手続補正１】
【補正対象書類名】明細書
【補正対象項目名】特許請求の範囲
【補正方法】変更
【補正の内容】
【特許請求の範囲】
【請求項１】
（ａ）（１）ポリ（ヘキサメチレンアジパミド）単位及びポリ（ヘキサメチレンイソフタルアミド）単位からなる共重合体、（２）ポリ（ヘキサメチレンアジパミド）単位、ポリ（ヘキサメチレンイソフタルアミド）単位及びポリ（ヘキサメチレンテレフタルアミド）単位からなる３元共重合体、（３）ポリ（ヘキサメチレンアジパミド）単位、ポリ（ヘキサメチレンイソフタルアミド）単位及びポリ（カプロラクタム）単位からなる３元共重合体、（４）ポリ（ノナメチレンテレフタルアミド）、（５）ポリ（ヘキサメチレンイソフタルアミド）並びに（６）キシリレンジアミン成分由来である芳香族成分を含むポリアミドからなる群から選ばれる芳香族成分を含むポリアミド樹脂及び（ｂ）ホウ酸金属化合物を有する難燃性ポリアミド樹脂組成物。
【請求項２】
（ａ）芳香族成分を含むポリアミド樹脂１００重量部及び（ｂ）ホウ酸金属化合物０．１〜２００重量部を有する請求項１記載の難燃性ポリアミド樹脂組成物。
【請求項３】
（ａ）芳香族成分を含むポリアミド樹脂１００重量部、（ｂ）ホウ酸金属化合物０．１〜２００重量部及び（ｃ）強化材５〜２００重量部を有する請求項１又は２記載の難燃性ポリアミド樹脂組成物。
【請求項４】
更に、（ｄ）シリコーン化合物０．０１〜１００重量部を含有してなる請求項１〜３のいずれか１項に記載の難燃性ポリアミド樹脂組成物。
【請求項５】
（ａ）芳香族成分を含むポリアミド樹脂の芳香族成分が、イソフタル酸成分由来である請求項１〜４のいずれか１項に記載の難燃性ポリアミド樹脂組成物。
【請求項６】
（ａ）芳香族成分を含むポリアミド樹脂が、ポリ（メタキシリレンアジパミド）樹脂である請求項１〜４のいずれか１項に記載の難燃性ポリアミド樹脂組成物。
【請求項７】
（ｂ）ホウ酸金属化合物が、ｘＺｎＯ・ｙＢ２Ｏ３・ｚＨ２Ｏ（ｘ＞０、ｙ＞０、ｚ≧０）で表されるホウ酸亜鉛化合物である請求項１〜６のいずれか１項に記載の難燃性ポリアミド樹脂組成物。
【請求項８】
（ｂ）ホウ酸金属化合物が、２ＺｎＯ・３Ｂ２Ｏ３・３．５Ｈ２Ｏ、４ＺｎＯ・Ｂ２Ｏ３・Ｈ２Ｏ、２ＺｎＯ・３Ｂ２Ｏ３で表される化合物である請求項７に記載の難燃性ポリアミド樹脂組成物。
【請求項９】
（ｂ）ホウ酸金属化合物が、２ＺｎＯ・３Ｂ２Ｏ３・３．５Ｈ２Ｏで表される化合物である請求項８に記載の難燃性ポリアミド樹脂組成物。
【請求項１０】
（ｃ）強化材が、繊維状フィラーである請求項３〜９のいずれか１項に記載の難燃性ポリアミド樹脂組成物。
【請求項１１】
（ｃ）強化材が、ガラス繊維である請求項１０に記載の難燃性ポリアミド樹脂組成物。
【請求項１２】
（ｄ）シリコーン化合物が、下記のシロキサン単位を有する群から選ばれる少なくとも１種からなるシリコーン化合物である請求項４〜１１のいずれか１項に記載の難燃性ポリアミド樹脂組成物。
１）Ｍ単位（一官能性）
【化１】
2004115651.tif 000001
２）Ｄ単位（二官能性）
【化２】
2004115651.tif 000002
３）Ｔ単位（三官能性）
【化３】
2004115651.tif 000003
４）Ｑ単位（四官能性）
【化４】
2004115651.tif 000004
（但し、Ｒは、それぞれ同一又は異なる置換基で、アルキル基、アリール基、ベンジル基、ビニル基、アリル基、アルコキシ基、ヒドロキシ基、アミノ基、メチルエステル基およびエチルエステル基から選択される。）
【請求項１３】
（ｄ）シリコーン化合物が、ビニル基を含有するシリコーン化合物である請求項４〜１２のいずれか１項に記載の難燃性ポリアミド樹脂組成物。
【請求項１４】
（ｄ）シリコーン化合物が、トリメチルシリル基やアルコキシ基、ヒドロキシル基を除くケイ素原子に結合している全有機置換基の内、ビニル基率がモル比で２％以上となることを特徴とする請求項４〜１３のいずれか１項に記載の難燃性ポリアミド樹脂組成物。
【請求項１５】
更に、（ｅ）ポリフェニレンエーテル樹脂０．１〜１００重量部を含有してなる請求項１〜１４のいずれか１項に記載の難燃性ポリアミド樹脂組成物。
【請求項１６】
請求項１〜１５のいずれか１項に記載の難燃性ポリアミド樹脂組成物からなる成形品。
【手続補正２】
【補正対象書類名】明細書
【補正対象項目名】０００９
【補正方法】変更
【補正の内容】
【０００９】
【課題を解決するための手段】
本発明者等は、鋭意研究を重ねた結果、芳香族成分を含むポリアミド樹脂、ホウ酸金属化合物を必須成分とした際にポリアミド樹脂、ハロゲン化合物、ホウ酸金属化合物の三者を含む組成物において、問題となっていた射出成形などの加熱加工時に、腐食性のハロゲン化水素等が発生し、金型等を腐食する点を解決ができ、かつ燃焼時の発熱速度とドリップ発生が抑制された難燃性ポリアミド樹脂組成物を提供できることを見いだした。さらに、強化材、シリコーン化合物、ポリフェニレンエーテル樹脂を任意成分として組み合わせた際に、ＵＬ試験評価やコーンカロリーメーター試験での燃焼時の発熱速度の減少などの難燃性を更に向上させることができ、さらに物性の改良、流動性の向上等の更なる性質の改良が実現できることを見いだし、この知見に基づき本発明を完成するに至った。
また、本発明は、ポリアミド樹脂をホウ酸亜鉛のみを難燃剤として用いて難燃化を
達成することに成功したものである。
すなわち、本発明は、
［１］  （ａ）（１）ポリ（ヘキサメチレンアジパミド）単位及びポリ（ヘキサメチレンイソフタルアミド）単位からなる共重合体、（２）ポリ（ヘキサメチレンアジパミド）単位、ポリ（ヘキサメチレンイソフタルアミド）単位及びポリ（ヘキサメチレンテレフタルアミド）単位からなる３元共重合体、（３）ポリ（ヘキサメチレンアジパミド）単位、ポリ（ヘキサメチレンイソフタルアミド）単位及びポリ（カプロラクタム）単位からなる３元共重合体、（４）ポリ（ノナメチレンテレフタルアミド）、（５）ポリ（ヘキサメチレンイソフタルアミド）並びに（６）キシリレンジアミン成分由来である芳香族成分を含むポリアミドからなる群から選ばれる芳香族成分を含むポリアミド樹脂及び（ｂ）ホウ酸金属化合物を有する難燃性ポリアミド樹脂組成物、
［２］（ａ）芳香族成分を含むポリアミド樹脂１００重量部及び（ｂ）ホウ酸金属化合物０．１〜２００重量部を有する［１］記載の難燃性ポリアミド樹脂組成物、
［３］（ａ）芳香族成分を含むポリアミド樹脂１００重量部、（ｂ）ホウ酸金属化合物０．１〜２００重量部及び（ｃ）強化材５〜２００重量部を有する［１］又は［２］記載の難燃性ポリアミド樹脂組成物、
［４］更に、（ｄ）シリコーン化合物０．０１〜１００重量部を含有してなる［１］〜［３］のいずれかに記載の難燃性ポリアミド樹脂組成物、
［５］（ａ）芳香族成分を含むポリアミド樹脂の芳香族成分が、イソフタル酸成分由来である［１］〜［４]のいずれかに記載の難燃性ポリアミド樹脂組成物、
［６］（ａ）芳香族成分を含むポリアミド樹脂が、ポリ（メタキシリレンアジパミド）樹脂である［１］〜［４］のいずれかに記載の難燃性ポリアミド樹脂組成物、
［７］（ｂ）ホウ酸金属化合物が、ｘＺｎＯ・ｙＢ２Ｏ３・ｚＨ２Ｏ（ｘ＞０、ｙ＞０、ｚ≧０）で表されるホウ酸亜鉛化合物である［１］〜［６］のいずれかに記載の難燃性ポリアミド樹脂組成物、
［８］（ｂ）ホウ酸金属化合物が、２ＺｎＯ・３Ｂ２Ｏ３・３．５Ｈ２Ｏ、４ＺｎＯ・Ｂ２Ｏ３・Ｈ２Ｏ、２ＺｎＯ・３Ｂ２Ｏ３で表される化合物である［７］に記載の難燃性ポリアミド樹脂組成物、
［９］（ｂ）ホウ酸金属化合物が、２ＺｎＯ・３Ｂ２Ｏ３・３．５Ｈ２Ｏで表される化合物である［８］に記載の難燃性ポリアミド樹脂組成物、
［１０］（ｃ）強化材が、繊維状フィラーである［３］〜［９］のいずれかに記載の難燃性ポリアミド樹脂組成物、
［１１］（ｃ）強化材が、ガラス繊維である［１０］に記載の難燃性ポリアミド樹脂組成物、
［１２］（ｄ）シリコーン化合物が、下記のシロキサン単位を有する群から選ばれる少なくとも１種からなるシリコーン化合物である［４］〜［１１］のいずれかに記載の難燃性ポリアミド樹脂組成物、
１）Ｍ単位（一官能性）
２）Ｄ単位（二官能性）
３）Ｔ単位（三官能性）
４）Ｑ単位（四官能性）
［１３］（ｄ）シリコーン化合物が、ビニル基を含有するシリコーン化合物である［４］〜［１２］のいずれかに記載の難燃性ポリアミド樹脂組成物、
［１４］（ｄ）シリコーン化合物が、トリメチルシリル基やアルコキシ基、ヒドロキシル基を除くケイ素原子に結合している全有機置換基の内、ビニル基率がモル比で２％以上となることを特徴とする［４］〜［１３］のいずれかに記載の難燃性ポリアミド樹脂組成物、
［１５］更に、（ｅ）ポリフェニレンエーテル樹脂０．１〜１００重量部を含有してなる［１］〜［１４］のいずれかに記載の難燃性ポリアミド樹脂組成物、
［１６］［１］〜［１５］のいずれかに記載の難燃性ポリアミド樹脂組成物からなる成形品、
である。